(57)【要約】【課題】  顧客の操作に影響されず、最短時間で取引を終了させ、適切に終了処理を実行する事ができる自動取引装置を提供する。【解決手段】  本発明の自動取引装置は、取引の実行に係る操作画面を表示して、入力を受け付ける表示・入力手段と、所定の手順の各段階で取得した操作情報に基づいて取引処理を行う取引処理手段と、上記電源装置から供給される電力の供給断を検知する電力供給断検知手段と、上記電力供給断検知手段により電力の供給断が検知されると、上記表示・入力手段への入力を無効化する入力無効化手段とを備えることを特徴とする。【選択図】      図１
2016206873.tif 000002
【特許請求の範囲】
【請求項１】
通常時に電力を供給する電源装置と、上記電源装置からの電力供給がないときに電力を供給するバックアップ用電源装置とを備え、所定の取引を行う自動取引装置において、
上記取引の実行に係る操作画面を表示して、入力を受け付ける表示・入力手段と、
所定の手順の各段階で取得した操作情報に基づいて取引処理を行う取引処理手段と、
上記電源装置から供給される電力の供給断を検知する電力供給断検知手段と、
上記電力供給断検知手段により電力の供給断が検知されると、上記表示・入力手段への入力を無効化する入力無効化手段と
を備えることを特徴とする自動取引装置。
【請求項２】
上記入力無効化手段により上記表示・入力手段への入力が無効化された後に、上記取引に関する媒体を返却する媒体返却手段をさらに備えることを特徴とする請求項１に記載の自動取引装置。
【請求項３】
上記入力無効化手段により上記表示・入力手段への入力が無効化された後に、上記取引処理手段の取引状態に対応する動作を実行させる非常時制御手段をさらに備えることを特徴とする請求項１又は２に記載の自動取引装置。
【請求項４】
上記非常時制御手段は、上記表示・入力手段への入力が無効である旨のメッセージを上記表示・入力手段に出力することを特徴とする請求項３に記載の自動取引装置。
【請求項５】
上記取引は、入金取引であって、
上記非常時制御手段は、上記取引処理手段の取引状態が、入金された状態であった場合には、入金された現金を返却することを特徴とする請求項３又は４に記載の自動取引装置。
【請求項６】
上記取引は、出金取引であって、
上記非常時制御手段は、上記取引処理手段の取引状態が、出金する金額が入力された状態であった場合には、入力された金額の現金を出金することを特徴とする請求項３又は４に記載の自動取引装置。
【請求項７】
上記操作情報を、先入れ先出しのデータ構造により管理する操作情報管理手段と、
上記入力無効化手段は、上記操作情報管理手段から、該操作情報を削除して上記表示・入力手段への入力を無効化することを特徴とする請求項１〜６のいずれかに記載の自動取引装置。
【請求項８】
上記入力無効化手段は、上記取引処理手段による取引処理が行われていない場合においても、上記無効化処理を実行することを特徴とする請求項１〜４のいずれかに記載の自動取引装置。
【請求項９】
上記非常時制御手段は、上記取引処理手段の取引状態に対応する動作を全て実行した後に、当該自動取引装置を正常に終了させることを特徴とする請求項３〜８のいずれかに記載の自動取引装置。
【発明の詳細な説明】
【技術分野】
【０００１】
本発明は、自動取引装置に関し、例えば、現金自動預け払い機（ＡＴＭ：Ａｕｔｏｍａｔｉｃ  Ｔｅｌｌｅｒ  Ｍａｃｈｉｎｅ）等において、停電検知時に終了処理を行うことができる自動取引装置に適用し得るものである。
【背景技術】
【０００２】
例えば、現金自動預け払い機（ＡＴＭ）は、停電が発生すると、ＡＴＭに設けられている各ユニットへの電源供給が停止してしまう。そのため、ＡＴＭは、電源供給先をバックアップ用電源装置（バッテリ）に切り替えて、バックアップ用電源装置から電源供給を受けて取引処理を行う。
【０００３】
ここで、電源切り替え時にはバッテリの電力供給量が重要となる。例えば、特許文献１には、停電発生時に、バッテリを有効活用しＡＴＭの稼動時間を長期化する技術が開示されている。また、特許文献２には、バッテリから電力供給を受けて取引を行っている場合でも、終了処理を誘導させ、適切にＡＴＭの稼働を停止させる技術が開示されている。
【先行技術文献】
【特許文献】
【０００４】
【特許文献１】特開２０１０−２８２３０８
【特許文献２】特開２０１３−２５７８４９
【発明の概要】
【発明が解決しようとする課題】
【０００５】
しかしながら、上記特許文献１及び２に記載される技術を導入したとしても、顧客による誤操作があった場合は、誘導があったとしても時間が掛かってしまい、確実に取引を終了させることが出来るとは言い難かった。つまり、時間の経過とともに、バッテリの電力量が尽きてしまうので、取引が終了できないまま、ＡＴＭの稼働が停止して、カードや現金等の媒体を返却できない可能性が存在した。
【０００６】
そのため、顧客の操作に影響されず、最短時間で取引を終了させ、適切に終了処理を実行する事ができる自動取引装置が望まれている。
【課題を解決するための手段】
【０００７】
本発明は、通常時に電力を供給する電源装置と、上記電源装置からの電力供給がないときに電力を供給するバックアップ用電源装置とを備え、所定の取引を行う自動取引装置において、(１)上記取引の実行に係る操作画面を表示して、入力を受け付ける表示・入力手段と、(２)所定の手順の各段階で取得した操作情報に基づいて取引処理を行う取引処理手段と、(３)上記電源装置から供給される電力の供給断を検知する電力供給断検知手段と、(４)上記電力供給断検知手段により電力の供給断が検知されると、上記表示・入力手段への入力を無効化する入力無効化手段とを備えることを特徴とする。
【発明の効果】
【０００８】
本発明によれば、顧客の操作に影響されず、最短時間で取引を終了させ、適切に終了処理を実行する事ができる。
【図面の簡単な説明】
【０００９】
【図１】第１の実施形態の自動取引装置の内部構成を示す内部構成図である。
【図２】第１の実施形態の自動取引装置及び周辺装置の外観構成を示す外観斜視図である。
【図３】第１の実施形態の紙幣入出金部の内部構成を示す内部構成図である。
【図４】第１の実施形態の硬貨入出金部の内部構成を示す内部構成図である。
【図５】第１の実施形態の自動取引装置における入金取引（停電時の動作も含む）動作を示すフローチャートである。
【図６】第１の実施形態の停電検知部による停電検知有無処理の動作を示すフローチャートである。
【図７】第１の実施形態の停電時に操作表示部へ出力する画面（その１）を示す説明図である。
【図８】第１の実施形態の停電時に操作表示部へ出力する画面（その２）を示す説明図である。
【図９】第３の実施形態の自動取引装置における出金取引（停電時の処理も含む）の動作を示すフローチャートである。
【図１０】第１の実施形態の停電時に操作表示部へ出力する画面（その３）を示す説明図である。
【発明を実施するための形態】
【００１０】
（Ａ）第１の実施形態
以下では、本発明に係る自動取引装置の第１の実施形態を、図面を参照しながら詳細に説明する。
【００１１】
（Ａ−１）第１の実施形態の構成
図２は、第１の実施形態の自動取引装置及び周辺装置の外観構成を示す外観斜視図である。図２において、第１の実施形態の自動取引装置１は、カード入出口１１、通帳入出口１２、払込書口１３、紙幣入出口１４、硬貨入出口１５、操作表示部１６及び明細票排出口１７を有する。また、自動取引装置１は、バックアップ用電源装置としての無停電電源装置５と接続している。
【００１２】
カード入出口１１は、顧客がキャッシュカードを挿入したり又はキャッシュカードを取り出したりするものである。
【００１３】
通帳入出口１２は、顧客が通帳を挿入したり又は通帳を取り出したりするものである。
【００１４】
払込書口１３は、顧客が払込書を挿入するものである。
【００１５】
紙幣入出口１４は、顧客が紙幣を挿入したり又は紙幣を取り出したりするものである。紙幣入出口１４は、例えば、開閉可能な開閉体を有するバケットタイプのものを用いることができる。顧客が紙幣を投入するときには、顧客はバケットの開口部に紙幣を投入し、その後自動取引装置１は、開閉体が閉じて投入された紙幣を取り込む。また自動取引装置１が紙幣を返却するときには、自動取引装置１はバケットに紙幣を繰り出し、その後、開閉体が開放する。
【００１６】
硬貨入出口１５は、顧客が硬貨を投入したり又は硬貨を取り出したりするものである。硬貨入出口１５も、例えば、開閉可能なバケットタイプのものを用いることができる。この場合も、紙幣入出口１４と同様に、顧客が硬貨を投入するときには、顧客はバケットの開口部に硬貨を投入し、その後自動取引装置１は、開閉体を閉じて投入された硬貨を取り込む。また自動取引装置１が硬貨を返却するときには、自動取引装置１はバケットに硬貨を繰り出し、その後、開閉体が開放する。
【００１７】
操作表示部１６は、例えば、取引種類の選択メニュー画面、各取引の操作画面、取引内容の確認画面等を表示したり、顧客が入力した入力情報を取り込んだりするものである。操作表示部１６は、例えば、タッチパネル方式の操作表示部を適用することができる（この実施形態では、タッチパネル方式で構成されているものとする）。なお、操作表示部１６は、操作部と表示部とが一体となったタッチパネル方式のものに限らず、操作部と表示部とがそれぞれ物理的に別の構成のものであってもよい。
【００１８】
明細票排出口１７は、取引内容を印刷した明細票を排出するものである。
【００１９】
無停電電源装置５は、非停電時に電力を蓄積し、停電発生時に、自動取引装置１に対して蓄積している電力を供給するバックアップ用電源装置である。図２では、無停電電源装置５が、自動取引装置１の外部に外付けされている場合を例示するが、自動取引装置１の内部に設けるようにしてもよい。
【００２０】
なお、無停電電源装置５の出力方式は、交流出力のものであってもよいし又は直流出力のものであっても良い。また給電方式も、特に限定されるものではなく、例えば、常時インバータ給電方式、常時商用給電方式等の種々のものを広く適用することができる。
【００２１】
図１は、第１の実施形態の自動取引装置の内部構成を示す内部構成図である。図１において、自動取引装置１は、制御部２１、記録部２２、操作表示制御部２３、カード処理部２４、紙幣入出金部２５、硬貨入出金部２６、ジャーナル記録部２７、通帳処理部２８、払込書処理部２９、明細票発行部３０、係員操作部３１、キー入力操作部３２、電源装置３３、無停電電源装置インタフェース３４及び電源切替部４０を有する。
【００２２】
制御部２１は、自動取引装置１の全体機能を司るものである。例えば、制御部２１は、記録部２２に格納される処理プログラムを実行することにより自動取引装置１の機能を実現するものである。
【００２３】
図１では、制御部２１が実行する主な機能部を示している。図１に示すように、制御部２１は、取引処理部２１１、停電検知部２１２、停電時終了制御部２１３、ＣＰＵ２１４及びメモリ２１５を有する。
【００２４】
取引処理部２１１は、例えば、振り込み取引、預け入れ取引、払込取引、引き出し取引等の様々な取引処理を行うものであり、これら取引処理に伴う入金処理や出金処理等を行う。なお、取引処理部２１１は、取引処理手段の一例である。
【００２５】
停電検知部２１２は、電源装置３３からの通電を監視して、停電の発生を検知する処理を行うものである。なお、停電検知部２１２は、電力供給断検知手段の一例である。
【００２６】
停電時終了制御部２１３は、停電検知部２１２により停電の発生が検知された場合であって、自動取引装置１への電源が後述する電源切替部４０により、無停電電源装置５に切り替えられたときに、取引処理部２１１の取引処理の状態に応じた動作を実行するものである。これにより、停電が発生しても、取引処理を早期に終了することができるので、適切にソフトウェアによる終了処理を実行させることができる。なお、停電時終了制御部２１３は、非常時制御手段の一例である。
【００２７】
また、停電時終了制御部２１３は、取引処理に関する媒体（カード、通帳等）を顧客へ返却する処理を、関係する処理部（例えば、カード処理部２４、通帳処理部２８等）に依頼することにより、当該媒体を返却する媒体返却手段を実現する。
【００２８】
ＣＰＵ２１４は、記録部２２に格納される処理プログラムを所定の処理単位で実行するものである。なお、この実施形態では、取引処理部２１１が行う各種処理は、ＣＰＵ２１４が、必要なデータを用いて記録部２２に格納される処理プログラムを実行するソフトウェア処理でなされる。
【００２９】
メモリ２１５は、ＣＰＵ２１４が直接アクセスする１次記憶手段である。また、メモリ２１５は、操作表示制御部２３からのメッセージを格納するメッセージキュー２１６を有する。
【００３０】
メッセージキュー２１６は、操作表示制御部２３からのメッセージを順次格納する一種の待ち行列であり、ＦＩＦＯ（Ｆｉｒｓｔ−Ｉｎ Ｆｉｒｓｔ−Ｏｕｔ）のデータ構造を備える。ＣＰＵ２１４及び取引処理部２１１は、メッセージキュー２１６から格納されたメッセージを取り出し、各メッセージに対応する取引処理を実行することになる。なお、自動取引装置１は、ＣＰＵ２１４と、取引処理部２１１と、メッセージキュー２１６とにより操作情報管理手段が実現される。
【００３１】
電源装置３３は、通常時に、自動取引装置１に電源を供給するものである。
【００３２】
無停電電源装置インタフェース３４は、無停電電源装置５と接続する接続インタフェースである。電源切替部４０による電源切替時に、無停電電源装置５に対して電源切替の旨を通知する。
【００３３】
電源切替部４０は、停電検知部２１２により停電の発生が検知されると、電源供給先を電源装置３３から無停電電源装置５に切り替えるものである。
【００３４】
記録部２２は、制御部２１が実行する処理プログラム等を記憶するものあり、例えば、フラッシュメモリやＨＤＤ等により構成される。この実施形態において、制御部２１及び記録部２２は、オペレーティングシステム（以下、単に「ＯＳ」と表す：例えば、Ｗｉｎｄｏｗｓ（登録商標））等）をインストール可能なコンピュータとして構成されるものとする。
【００３５】
操作表示制御部２３は、制御部２１の制御の下、操作表示部１６の動作を制御するものである。操作表示制御部２３は、制御部２１から画面情報に基づいて、操作表示部１６に画面を表示させたり、又は操作表示部１６から入力された情報を制御部２１に与えたりするものである。この実施形態において、操作表示制御部２３は、操作表示部１６のタッチパネル操作による入力情報がＯＳのプログラム（Ｗｉｎｄｏｗｓプログラム）により取得できるものとする。そして、取得された入力情報は、メッセージとして、メッセージキュー２１６に格納される。自動取引装置１は、操作表示部１６と、操作表示制御部２３とにより表示・入力手段が実現される。
【００３６】
カード処理部２４は、制御部２１の制御の下、カード入出口１１からキャッシュカードを取り込んだり又は排出したりするものである。また、カード処理部２４は、カード入出口１１から挿入されたキャッシュカードの格納部（例えば、磁気格納部やＩＣチップ等）に格納されているカード情報を読み取り、そのカード情報を制御部２１に与えるものである。
【００３７】
図３は、第１の実施形態の紙幣入出金部の内部構成を示す内部構成図である。紙幣入出金部２５は、制御部２１の制御の下、紙幣を金種別に収納・管理するものである。
【００３８】
紙幣入出金部２５は、先述の紙幣入出口１４と、この紙幣入出口１４に受け入れた紙幣を１枚ずつ分離して、紙幣の金種等を鑑別すると共に鑑別した紙幣を金種毎に計数する紙幣認識部２５４と、この紙幣認識部２５４で鑑別計数された紙幣を集積して一時保留する紙幣一時保留部２５５と、入金紙幣を金種別に収納する紙幣収納庫２５１と、紙幣リジェクト庫２５２を有して構成される。
【００３９】
図４は、第１の実施形態の硬貨入出金部の内部構成を示す内部構成図である。硬貨入出金部２６は、制御部２１の制御の下、硬貨を金種別に収納・管理するものである。
【００４０】
硬貨入出金部２６は、先述の硬貨入出口１５と、この硬貨入出口１５に受け入れた硬貨を１枚ずつ分離して、硬貨の金種等を鑑別すると共に鑑別した硬貨を金種毎に計数する硬貨認識部２６４と、この硬貨認識部２６４で鑑別計数された硬貨を集積して一時保留する硬貨一時保留部２６５と、入金硬貨を金種別に収納する硬貨収納庫２６１と、硬貨リジェクト庫２６２を有して構成される。
【００４１】
ジャーナル記録部２７は、顧客との取引処理の履歴や、自動取引装置１を管理する金融機関の職員等（以下、「係員」と呼ぶ）による業務処理の履歴等を印刷して記録するものである。
【００４２】
通帳処理部２８は、制御部２１の制御の下、通帳入出口１２から通帳を取り込んだり又は排出したりするものである。また、通帳処理部２８は、通帳入出口１２から挿入された通帳の格納部（例えば、磁気データ格納部やＩＣチップ等）に格納されている通帳情報（例えば、磁気ストライプデータ）を読み取り、その通帳情報を制御部２１に与えるものである。
【００４３】
払込書処理部２９は、制御部２１の制御の下、払込書口１３から予め払込金額が記載された払込書（伝票）を取り込むものである。また、払込書処理部２９は、払込書口１３から挿入された払込書のイメージを読み取り（例えば、ＯＣＲ読み取り）、そのイメージ情報（払込情報）を制御部２１に与えるものである。
【００４４】
明細票発行部３０は、制御部２１の制御の下、取引明細票に取引結果を印刷して、明細票排出口１７から発行（排出）を行うものである。
【００４５】
係員操作部３１は、例えば自動取引装置１の背面に設けられると共に係員の操作を受け付けるキー入力操作部３２を有しており、係員による当該キー入力操作部３２を介した操作を受け付け、その操作指示を制御部２１に与えるものである。
【００４６】
（Ａ−２）第１の実施形態の動作
次に、以上のような構成を有する第１の実施形態の自動取引装置１の動作を、図面を参照しながら説明する。
【００４７】
図５は、自動取引装置１における入金取引（停電時の処理も含む）の動作を示すフローチャートである。
【００４８】
顧客により自動取引装置１における入金取引が選択されたものとすると、（Ｓ１０１）、取引処理部２１１は、停電検知部２１２に以下の停電検知有無処理（サブルーチン）を実行させる（Ｓ１０２）。
【００４９】
図６は、停電検知部２１２による停電検知有無処理の動作を示すフローチャートである。
【００５０】
停電検知部２１２は、自動取引装置１に搭載されるＯＳのプログラム（この実施形態では、Ｗｉｎｄｏｗｓプログラム）により、操作表示部１６を介して入力されたタッチパネル情報に関するメッセージをメッセージキュー２１６から取得する（Ｓ３０１）。
【００５１】
停電検知部２１２は、電源装置３３からの電力供給の断絶（停電）を検知したか否かの判定を行う（Ｓ３０２）。
【００５２】
先述のステップＳ３０２の処理により停電を検知した場合には、停電検知部２１２は、先述のステップＳ３０１の処理により取得したメッセージを、メッセージキュー２１６から削除する（Ｓ３０３）。このステップＳ３０３の処理により、他プロセスにタッチパネルの情報が渡らなくなるため、操作表示部１６（タッチパネル）への入力無効化処理が実現される。なお、この入力無効化処理は、入力無効化手段の一例である。
【００５３】
一方、先述のステップＳ３０２の処理により停電を検知しなかった場合には、停電検知部２１２は、特に処理を実行しない（言い換えれば、メッセージキュー２１６から、取得したメッセージを削除しない）（Ｓ３０４）。
【００５４】
停電検知部２１２は、メッセージキュー２１６にタッチパネル情報に関するメッセージが格納されているかを判定する（Ｓ３０５）。当該メッセージが格納されている場合には、停電検知部２１２は、ステップＳ３０１から再度処理を実行する。一方、当該メッセージが格納されていない場合には、停電検知部２１２は、呼び出し元のメインルーチンに処理を戻す。
【００５５】
取引処理部２１１は、停電検知部２１２による停電検知有無処理が、停電発生を検知した場合には、後述するステップＳ１１０の処理を行い、停電発生を検知しなかった場合には、次の処理を実行する。
【００５６】
取引処理部２１１は、カード挿入待ちの状態からカード入出口１１にカードが挿入されると、停電検知部２１２に先述の停電検知有無処理（サブルーチン）を実行させる（Ｓ１０３、Ｓ１０４）。取引処理部２１１は、停電検知部２１２による停電検知有無処理が、停電発生を検知した場合には、後述するステップＳ１１０の処理を行い、停電発生を検知しなかった場合には、次の処理を実行する。
【００５７】
取引処理部２１１は、暗証番号入力待ちの状態から操作表示部１６を介して暗証番号が入力されると、停電検知部２１２に先述の停電検知有無処理（サブルーチン）を実行させる（Ｓ１０５、Ｓ１０６）。
【００５８】
取引処理部２１１は、停電検知部２１２による停電検知有無処理が、停電発生を検知した場合には、後述するステップＳ１１０の処理を行い、停電発生を検知しなかった場合には、次の処理を実行する。
【００５９】
シャッタが解放された紙幣入出口１４及び硬貨入出口１５から現金（紙幣や硬貨）が投入されたものとすると、取引処理部２１１は、入金処理を行う（Ｓ１０７）。取引処理部２１１は、投入された現金の金額の確認を行う（Ｓ１０８）。取引処理部２１１は、金額が正当でないと判断した場合には、先述のステップＳ１０６に再度処理を戻す。
【００６０】
一方、取引処理部２１１は、金額が正当であると判断した場合には、停電検知部２１２に先述の停電検知有無処理（サブルーチン）を実行させる（Ｓ１０９）。取引処理部２１１は、停電検知部２１２による停電検知有無処理が、停電発生を検知した場合には、後述するステップＳ１１０の処理を行い、停電発生を検知しなかった場合には、次の処理を実行する。
【００６１】
取引処理部２１１は、顧客にカードを返却して、入金取引を終了する（Ｓ１１３、Ｓ１１４）。
【００６２】
先述のステップＳ１０２、ステップＳ１０４、ステップＳ１０６及びステップＳ１０９の処理により停電発生が検知された場合には、停電時終了制御部２１３は、紙幣一時保留部２５５及び硬貨一時保留部２６５に現金が保留（入金）されているかの判定を行う（Ｓ１１０）。
【００６３】
先述のステップＳ１１０の処理により、入金が無かったと判定された場合には、停電時終了制御部２１３は、操作表示部１６に対して、例えば、図７に示すタッチ入力無効表示画面を出力する（Ｓ１１１）。
【００６４】
一方、先述のステップＳ１１０の処理により、入金が有ったと判定された場合（言い換えれば、ステップＳ１０９の処理で停電発生を検知した場合）には、停電時終了制御部２１３は、操作表示部１６に対して、例えば、図８に示すタッチ入力無効表示画面を出力すると共に、入金された現金を顧客へ返却する（Ｓ１１２）。
【００６５】
停電時終了制御部２１３は、顧客にカードを返却して入金取引を終了した後に、自動取引装置１のシャットダウンを実行する。
【００６６】
（Ａ−３）第１の実施形態の効果
第１の実施形態によれば、停電検知部２１２が、停電を検知した場合に、メッセージキュー２１６からタッチパネルに関するメッセージを削除することにより、顧客によるタッチパネル操作が無効となる。つまり、自動取引装置１は、顧客の操作に影響されず、最短時間で取引を終了させ、非常時においても適切に終了処理を実行する事ができる。
【００６７】
（Ｂ）第２の実施形態
次に、本発明に係る自動取引装置の第２の実施形態を、図面を参照しながら詳細に説明する。
【００６８】
（Ｂ−１）第２の実施形態の構成
第２の実施形態の自動取引装置１の構成についても、第１の実施形態と同様に図１〜図４を用いて示すことができる。
【００６９】
（Ｂ−２）第２の実施形態の動作
次に、第２の実施形態に係る自動取引装置１の動作を説明する。
【００７０】
第１の実施形態では、自動取引装置１の入金取引に係る動作を説明したが、第２の実施形態では、入金取引を含む一切の金融取引を行っていない場合における停電時の処理を説明する。
【００７１】
停電検知部２１２により電源装置３３からの電力供給の断絶（停電）を検知された場合には、停電時終了制御部２１３は、操作表示部１６に先述の図７の画面を表示して（顧客からの操作を無効）、自動取引装置１のシャットダウンを実行する。なお、図７の画面に表示する文言はこれに限らず、「現在、終了処理（シャットダウン）中」である等の文言を付け加えても良い。
【００７２】
（Ｂ−３）第２の実施形態の効果
第２の実施形態によれば、自動取引装置１は、停電が発生したとしても、顧客が取引を開始する事なく、適切に終了処理（シャットダウン）を実行できる。
【００７３】
（Ｃ）第３の実施形態
次に、本発明に係る自動取引装置の第３の実施形態を、図面を参照しながら詳細に説明する。
【００７４】
（Ｃ−１）第３の実施形態の構成
第３の実施形態の自動取引装置１の構成についても、第１の実施形態と同様に図１〜図４を用いて示すことができる。
【００７５】
（Ｃ−２）第３の実施形態の動作
次に、第３の実施形態に係る自動取引装置１の動作を説明する。
【００７６】
図９は、自動取引装置１における出金取引（停電時の処理も含む）の動作を示すフローチャートである。図９において、図５と共通する処理（ステップ）については、同一の符号を付して示している。以下では、顧客により自動取引装置１における出金取引が選択（Ｓ２０１）されたものとするとして説明する。
【００７７】
ステップＳ１０２〜ステップＳ１０６までの処理は、先述の第１の実施形態の図５と同様なので、その説明を省略する。
【００７８】
取引処理部２１１は、操作表示部１６を介して、顧客により金額が入力されると（Ｓ２０２）、停電検知部２１２に先述の停電検知有無処理（サブルーチン）を実行させる（Ｓ１０９）。取引処理部２１１は、停電検知部２１２による停電検知有無処理が、停電発生を検知した場合には、後述するステップＳ２０４の処理を行い、停電発生を検知しなかった場合には、次の処理を実行する。
【００７９】
取引処理部２１１は、入力された金額に応じて出金処理を行い、顧客へ現金を返却する（Ｓ２０３）。そして、取引処理部２１１は、顧客にカードを返却して、出金取引を終了する（Ｓ１１３、Ｓ２０６）。
【００８０】
先述のステップＳ１０２、ステップＳ１０４、ステップＳ１０６及びステップＳ１０９の処理により停電発生が検知された場合には、停電時終了制御部２１３は、顧客により出金する金額が入力されているかの判定を行う（Ｓ２０４）。
【００８１】
先述のステップＳ２０４の処理により、金額の入力が無かったと判定された場合には、停電時終了制御部２１３は、操作表示部１６に対して、例えば、図７に示すタッチ入力無効表示画面を出力する（Ｓ１１１）。
【００８２】
一方、先述のステップＳ２０４の処理により、金額の入力が有ったと判定された場合（言い換えれば、ステップＳ１０９の処理で停電発生を検知した場合）には、停電時終了制御部２１３は、操作表示部１６に対して、例えば、図１０に示すタッチ入力無効表示画面を出力すると共に、入力された金額の現金を顧客へ出金する（Ｓ２０５）。
【００８３】
停電時終了制御部２１３は、顧客にカードを返却して出金取引を終了した後に（Ｓ１１３、Ｓ２０６）、自動取引装置１のシャットダウンを実行する。
【００８４】
（Ｃ−３）第３の実施形態の効果
第３の実施形態によれば、顧客が出金取引を行っていた場合においても、第１の実施形態と同様の効果を奏することができる。
【００８５】
（Ｄ）他の実施形態
上記各実施形態に加えて、さらに、以下に例示するような変形実施形態も挙げることができる。
【００８６】
（Ｄ−１）上記各実施形態では、自動取引装置を例にして挙げたが、停電を検知した場合において決まった動作をさせる装置においても、本発明を適用することができる。
【００８７】
（Ｄ−２）第１、第３の各実施形態では、金融取引として、入金取引、出金取引を行っている場合の停電時の動作を例に挙げて説明したが、この例に限らず、残高照会、通帳の記帳を含めた様々な金融取引を行っている場合においても本発明を適用することができる。
【符号の説明】
【００８８】
１…自動取引装置、５…無停電電源装置、１１…カード入出口、１２…通帳入出口、１３…払込書口、１４…紙幣入出口、１５…硬貨入出口、１６…操作表示部、１７…明細票排出口、２１…制御部、２１１…取引処理部、２１２…停電検知部、２１３…停電時終了制御部、２１４…ＣＰＵ、２１５…メモリ、２１６…メッセージキュー、２２…記録部、２３…操作表示制御部、２４…カード処理部、２５…紙幣入出金部、２６…硬貨入出金部、２７…ジャーナル記録部、２８…通帳処理部、２９…払込書処理部、３０…明細票発行部、３１…係員操作部、３２…キー入力操作部、３３…電源装置、３４…無停電電源装置インタフェース、４０…電源切替部、２５１…紙幣収納庫、２５２…紙幣リジェクト庫、２５４…紙幣認識部、２５５…紙幣一時保留部、２６１…硬貨収納庫、２６２…硬貨リジェクト庫、２６４…硬貨リジェクト、２６５…硬貨一時保留部。
【図１】
2016206873.tif 000003
【図２】
2016206873.tif 000004
【図３】
2016206873.tif 000005
【図４】
2016206873.tif 000006
【図５】
2016206873.tif 000007
【図６】
2016206873.tif 000008
【図７】
2016206873.tif 000009
【図８】
2016206873.tif 000010
【図９】
2016206873.tif 000011
【図１０】
2016206873.tif 000012